(57)【要約】【課題】錠箱の省スペース化を図りつつ、コイルバネの耐久性を向上させることができる錠のラッチ構造を得、長期に渡って錠動作を安定させ、信頼性を向上させる。【解決手段】錠箱に進退自在にガイドされるラッチ３７と、ラッチ３７の内部に形成されるラッチ進退方向ａに長い空間７１と、空間７１の長手方向に沿って収容されラッチ進退方向の先端側に設けられたフランジ部７３を空間７１の先端側内壁面７５に当接するガイド軸６１と、錠箱に一端７９が固定され空間７１に位置する他端８１が貫通させたガイド軸６１を摺動自在に支持する支持柱６７と、先端がフランジ部７３に当接し基端が支持柱６７に当接してガイド軸６１の外周に間隙を有して外挿されるコイルバネ６３と、を具備し、支持柱６７には、内周にガイド軸６１を挿通し、外周にコイルバネ６３を外挿する筒部６５を設けた。【選択図】      図４
2010261216.tif 000002
【特許請求の範囲】
【請求項１】
錠箱に進退自在にガイドされるラッチと、
該ラッチの内部に形成されるラッチ進退方向に長い空間と、
該空間の長手方向に沿って収容されラッチ進退方向の先端側に設けられたフランジ部を前記空間の先端側内壁面に当接するガイド軸と、
前記錠箱に一端が固定され前記空間に位置する他端が貫通させた前記ガイド軸を摺動自在に支持する支持柱と、
先端が前記フランジ部に当接し基端が該支持柱に当接して前記ガイド軸の外周に間隙を有して外挿されるコイルバネと、を具備し、
前記支持柱には内周に前記ガイド軸を挿通し外周に前記コイルバネを外挿する筒部が設けられたことを特徴とする錠のラッチ構造。
【請求項２】
請求項１記載の錠のラッチ構造であって、
前記ガイド軸の先端側には、前記フランジ部に向かって徐々に拡径されるテーパ面が形成されることを特徴とする錠のラッチ構造。
【請求項３】
請求項１又は２記載の錠のラッチ構造であって、
前記筒部が、前記支持柱と別部材からなり該支持柱に嵌合されることを特徴とする錠のラッチ構造。
【請求項４】
請求項１，２，３のいずれか１つに記載の錠のラッチ構造であって、
前記ラッチが、
先端面にストライク衝接傾斜面を有して略角柱状に形成される樹脂製のラッチ本体と、
該ラッチ本体の少なくとも前記ストライク衝接傾斜面を除く側面を覆うように折り曲げられた金属製のライニング板と、からなることを特徴とする錠のラッチ構造。
【発明の詳細な説明】
【技術分野】
【０００１】
本発明は、ラッチ内に進出付勢手段であるコイルバネを備えた錠のラッチ構造に関し、例えば全面ガラス扉に用いて好適なものである。
【背景技術】
【０００２】
近年、ガラス素材の強度向上によって全面ガラス扉が多用されるようになってきている。全面ガラス扉は、例えばオフィスビルの玄関や店舗の入り口に設置される場合には、施錠装置を設ける必要がある。従来、この種の全面ガラス扉に施錠装置を設ける場合には、吊元金具や、上框、下框或いは中央部に付設した金属枠部に施錠装置を設けるのが一般的であった。
ところが、施錠装置を設けるために金属枠部分を付設するのでは、折角の全面ガラス扉の意匠性を低下させることがあり、好ましくはこれら金属枠部分が設けられない方が良い。
このような不具合を解消するものに、扉ガラス素材に直接穿設した取付穴を利用して、施錠装置のみを全面ガラス扉に取り付けた特許文献１のドア錠が提案されている。
このドア錠によれば、全面ガラス扉に施錠装置を設けるための金属枠部を付設せずに、全面ガラス扉の開閉端にドア錠のみを取り付けでき、全面ガラス扉の意匠性を損ねず、見栄えを向上させることができた。
【先行技術文献】
【特許文献】
【０００３】
【特許文献１】特表２００２−５２３６６０号公報
【発明の概要】
【発明が解決しようとする課題】
【０００４】
錠装置には、扉が風などで開かないように扉枠や相手扉に仮締めするラッチ、所謂、空錠を備えるものがある。ラッチは、錠箱内に内蔵した進出付勢手段であるコイルバネ等により戸先から突出され、閉扉時には相手側ストライクに衝接することで、或いはレバーハンドル等の操作部材が操作されることで後退し、ストライクに係止することで扉を仮締めする。係止したラッチは、レバーハンドル等が操作されることによって錠箱内に後退され、ストライクから係止が外れて扉を開放可能とする。
このラッチを備えた錠装置では、小型化を目的にコイルバネをラッチに内蔵することが想定される。特に、意匠性の重視される上記全面ガラス扉の錠装置の場合であっても例外ではない。
しかしながら、ラッチ内にコイルバネを収容するには、線径やコイル内径を小さくしなければならない。このため、収容スペースの小さいことも相まって、コイルバネが他部材と接触し、長期に渡る進退動作ではコイルバネに摩耗の生じることが危惧される。また、コイルバネは、ラッチの進退方向に沿う直線方向で付勢力を付与するが、ラッチは扉の閉止に伴って先端傾斜面をストライクに衝接し、その反力で後退されることがあるため、後退動作は必ずしも直線運動とならず複雑な動作軌跡を描く場合があった。このようにしてラッチの後退方向とコイルバネの伸縮方向が平行でないと、コイルバネが他部材、例えばコイルバネが外挿されるガイド軸に摺接し、コイルバネの線材が摩耗し、耐久性を低下させる虞が生じた。
【０００５】
本発明は上記状況に鑑みてなされたもので、錠箱の省スペース化を図りつつ、コイルバネの耐久性を向上させることができる錠のラッチ構造を提供し、もって、長期に渡って錠動作を安定させ、信頼性の向上を図ることを目的とする。
【課題を解決するための手段】
【０００６】
次に、上記の課題を解決するための手段を、実施の形態に対応する図面を参照して説明する。
本発明の請求項１記載の錠のラッチ構造は、錠箱７７に進退自在にガイドされるラッチ３７と、
該ラッチ３７の内部に形成されるラッチ進退方向ａに長い空間７１と、
該空間７１の長手方向に沿って収容されラッチ進退方向ａの先端側に設けられたフランジ部７３を前記空間７１の先端側内壁面７５に当接するガイド軸６１と、
前記錠箱７７に一端７９が固定され前記空間７１に位置する他端８１が貫通させた前記ガイド軸６１を摺動自在に支持する支持柱６７と、
先端が前記フランジ部７３に当接し基端が該支持柱６７に当接して前記ガイド軸６１の外周に間隙８３を有して外挿されるコイルバネ６３と、を具備し、
前記支持柱６７には内周に前記ガイド軸６１を挿通し外周に前記コイルバネ６３を外挿する筒部６５が設けられたことを特徴とする。
【０００７】
この錠のラッチ構造では、ラッチ内の空間７１にガイド軸６１を配置するコンパクトな構造において、特に、コイルバネ６３のガイド軸６１に対し相対移動の大きい側（すなわち、支持柱側）が、筒部６５を介してガイド軸６１の外側に均等な間隙８３を有して同心円状に配置され、伸縮動作時にコイルバネ６３が振れ難くなりガイド軸６１に接触しにくくなる。また、コイルバネ６３が均等な間隙８３を有してガイド軸６１と同心円状に配置されることで、ラッチ３７が仮に微少量傾斜して後退しても、コイルバネ６３とガイド軸６１が摺接しにくくなる。
【０００８】
請求項２記載の錠のラッチ構造は、請求項１記載の錠のラッチ構造であって、
前記ガイド軸６１の先端側には、前記フランジ部７３に向かって徐々に拡径されるテーパ面８９が形成されることを特徴とする。
【０００９】
この錠のラッチ構造では、コイルバネ６３のフランジ部７３側（先端側）がテーパ面８９の外側に外挿されることで、コイルバネ６３の先端側もガイド軸６１の外側に均等な間隙８３を有して同心円状に配置され、伸縮動作時に振れ難くなってガイド軸６１に接触しにくくなる。
【００１０】
請求項３記載の錠のラッチ構造は、請求項１又は２記載の錠のラッチ構造であって、
前記筒部６５が、前記支持柱６７と別部材からなり該支持柱６７に嵌合されることを特徴とする。
【００１１】
この錠のラッチ構造では、別体で製作された筒部６５が支持柱６７の他端８１に嵌合され、ガイド軸６１が筒部６５を介して支持柱６７の他端８１に摺動自在に支持される。なお、筒部６５は、ガイド軸６１に外挿されたコイルバネ端に押圧されて嵌合状態に保持される。
【００１２】
請求項４記載の錠のラッチ構造は、請求項１，２，３のいずれか１つに記載の錠のラッチ構造であって、
前記ラッチ３７が、
先端面にストライク衝接傾斜面９１を有して略角柱状に形成される樹脂製のラッチ本体５５と、
該ラッチ本体５５の少なくとも前記ストライク衝接傾斜面９１を除く側面を覆うように折り曲げられた金属製のライニング板５７と、からなることを特徴とする。
【００１３】
この錠のラッチ構造では、ラッチ３７が小口から突出された状態で扉１１ｂが閉められると、ラッチ３７のストライク衝接傾斜面９１が相手側扉１１ａ等に設けられたストライク４７に衝接し、その反力によりラッチ３７がコイルバネ６３の付勢力に抗して錠箱７７内へ後退される。支持柱６７は錠箱７７に固定されているので、ラッチ３７と共にガイド軸６１が支持柱６７に対して後退し、フランジ部７３が接近してくる。ガイド軸６１に外挿されたコイルバネ６３は、支持柱６７とフランジ部７３との間で圧縮される。コイルバネ６３の復元力により突出方向に押圧されるラッチ３７は、樹脂製ラッチ本体５５のストライク衝接傾斜面９１がストライクに衝接するので、衝撃、騒音が低減される。しかも、外側はライニング板５７に覆われ補強されているので、耐久性も確保される。
【発明の効果】
【００１４】
本発明に係る請求項１記載の錠のラッチ構造によれば、ラッチ内部の空間に設けたガイド軸を支持柱で摺動自在に支持し、このガイド軸にコイルバネを外挿し、支持柱にはガイド軸を挿通するとともにコイルバネを外挿する筒部を設けたので、錠箱の省スペース化を図りつつ、コイルバネが振れ難くなってガイド軸に接触しなくなり、コイルバネの耐久性を向上させることができる。この結果、長期に渡って錠動作を安定させ、信頼性を向上させることができる。
【００１５】
請求項２記載の錠のラッチ構造によれば、ガイド軸の先端側に、フランジ部に向かって徐々に拡径されるテーパ面を形成したので、コイルバネが、先端側においてもガイド軸に接触しなくなり、摩耗などが起こらずコイルバネの耐久性を向上させることができる。
【００１６】
請求項３記載の錠のラッチ構造によれば、筒部が、支持柱と別部材からなり支持柱に嵌合されるので、支持柱および筒部の製造を容易にすることができる。また、筒部を交換可能にできる。
【００１７】
請求項４記載の錠のラッチ構造によれば、ラッチが、ストライク衝接傾斜面を有して略角柱状に形成される樹脂製のラッチ本体と、ストライク衝接傾斜面を除くラッチ本体の側面を覆う金属製のライニング板とからなるので、ラッチとストライクとの衝撃、騒音を低減できる。また、内部に空間を有するラッチを容易に製造できる。
【図面の簡単な説明】
【００１８】
【図１】本発明に係る錠のラッチ構造を備えたガラス扉の正面図である。
【図２】図１のＡ−Ａ断面図である。
【図３】図２に示した室内錠ユニットの斜視図である。
【図４】図３に示したラッチ構成部材の拡大斜視図である。
【図５】ラッチ突出状態の室内錠ユニット戸先側の平断面図である。
【図６】ラッチ後退状態の室内錠ユニット戸先側の平断面図である。
【発明を実施するための形態】
【００１９】
以下、本発明の実施の形態を図面を参照して説明する。
図１は本発明に係る錠のラッチ構造を備えたガラス扉の正面図である。
本実施の形態による錠のラッチ構造は、開閉体である例えば両開きの全面ガラス扉に好適に用いることができる。この他、錠のラッチ構造は、片開きの全面ガラス扉、両開き・片開きのスチール扉等にも用いることができる。本実施の形態では、錠のラッチ構造が両開きの全面ガラス扉１１（１１ａ，１１ｂ）に用いられる例を説明する。
【００２０】
建物開口の左右にはガラスパネル１３，１３が設けられ、ガラスパネル１３，１３は開口サッシ等に取付固定されている。ガラスパネル１３，１３に挟まれる出入口開口部には上記した一対の全面ガラス扉１１ａ，１１ｂがヒンジ１５，１５を介して開閉自在に支持される。全面ガラス扉１１ａ，１１ｂは、例えば一方のガラス扉１１ａが不図示の規制手段にて開閉が規制され、他方のガラス扉１１ｂが室内側（図２の下側）へ開放可能となる。ガラス扉１１の召合１７には面付錠１００が取り付けられる。
【００２１】
図２は図１のＡ−Ａ断面図である。
面付錠１００は、他方のガラス扉１１ｂの戸先を挟んで取り付けられる室外錠ユニット２１と、室内錠ユニット２３と、一方のガラス扉１１ａの戸先を挟んで取り付けられる室外側の戸当たりユニット２５と、室内側のストライクユニット２７と、から構成される。
【００２２】
室外錠ユニット２１には、レバーハンドル３１、シリンダー錠（図示せず）等が設けられる。室内錠ユニット２３には、レバーハンドル３３、サムターン３５、進退自在な錠ボルト３７が設けられる。錠ボルト３７は、ラッチボルト兼デッドボルトの機能を有し、レバーハンドル３１，３３の回動操作にて進退が可能となるとともに、シリンダー錠及びサムターン３５の操作にて進退が規制・規制解除されて施解錠が行えるようになっている。本実施の形態では、この錠ボルト３７が、本発明における「ラッチ」と同等の部材となる。室内錠ユニット２３から突出する錠ボルト３７は、ストライクユニット２７のストライク穴（図示せず）へ進入係止される。
【００２３】
全面ガラス扉１１ａ，１１ｂは、他方のガラス扉１１ｂに設けられた錠ボルト３７が、サムターン３５等の施錠操作により、一方のガラス扉１１ａに設けられたストライクユニット２７へ後退不能に係止すれば、双方が開閉規制された施錠状態となる。サムターン３５等の解錠操作により施錠（後退規制）が解除されれば、レバーハンドル３１，３３により錠ボルト３７が後退可能となり、他方のガラス扉１１ｂが開放可能となる。
【００２４】
戸当たりユニット２５は、一方のガラス扉１１ａの小口端面１２よりも突出する戸当たり部４１を有する。戸当たり部４１の室内側の面には戸当たり板４３が表出し、戸当たり板４３は他方のガラス扉１１ｂの戸先室外面４５が当接する。図２中、４７はストライク穴を一体に形成するストライク板、４９はストライク板４７に形成されたボルト衝接片を示す。
【００２５】
図３は図２に示した室内錠ユニットの斜視図である。
室内錠ユニット２３は、ケース５１の戸先側の端面に、錠ボルト３７の進退開口５３を有する。進退開口５３から進退する錠ボルト３７は、ラッチ本体５５と、ライニング板５７とを有する。錠ボルト３７は、後述する錠箱の対向内壁面に樹脂プレートを介し挟まれて進退自在にガイドされ、進退開口５３から進退されるラッチ本体５５にはガイド軸６１と、コイルバネ６３と、筒部６５と、支持柱６７が配置される。なお、図３中、６９は開扉時にはサムターン３５やシリンダ錠の施錠操作を規制するトリガーを示す。
【００２６】
図４は図３に示したラッチ構成部材の拡大斜視図、図５はラッチ突出状態の室内側錠ユニット戸先側の平断面図である。
ラッチ本体５５の内部には、ラッチ進退方向（図４の矢印ａ方向）に長い空間７１が形成される。空間７１には長手方向に沿ってガイド軸６１が収容され、ガイド軸６１はラッチ進退方向の先端側に設けられたフランジ部７３を空間７１の先端側内壁面７５に当接する。
【００２７】
支持柱６７は、錠箱７７に一端７９が加締め固定され、空間７１に位置する他端８１が貫通させたガイド軸６１を摺動自在に支持する。支持柱６７の他端８１に支持されたガイド軸６１にはコイルバネ６３が外挿され、コイルバネ６３は先端がフランジ部７３に当接し、基端が支持柱６７に当接する。つまり、コイルバネ６３は、フランジ部７３を介してラッチ本体５５を進出方向（図５の右方向）に付勢する。コイルバネ６３は、ガイド軸６１の外周に間隙８３を有して外挿される。つまり、コイルバネ６３の内周がガイド軸６１に接触しないようになっている。
【００２８】
本実施の形態において、支持柱６７には内周にガイド軸６１を挿通し外周にコイルバネ６３を外挿する筒部６５が設けられる。筒部６５は、支持柱６７と別部材からなり、支持柱６７に嵌合される。なお、本実施の形態では、筒部６５が支持柱６７と別体に形成されるが、筒部６５は支持柱６７と一体に形成されても良い。筒部６５の外周には鍔部８５が張り出し、鍔部８５は支持柱６７の嵌合穴８７からの筒部６５の抜けを規制する。
【００２９】
別体で製作された筒部６５は、支持柱６７の他端８１に嵌合される。ガイド軸６１は、筒部６５を介して摺動自在に支持される。なお、筒部６５は、ガイド軸６１に外挿されたコイルバネ６３に押圧されて嵌合状態に保持される。すなわち、鍔部８５にコイルバネ６３が当接していることで、筒部６５を支持柱６７に押しつけるように作用している。筒部６５と支持柱６７を別部材とすることで、支持柱６７および筒部６５の製造を容易にしている。また、筒部６５を交換可能にしている。
【００３０】
また、ガイド軸６１の先端側には、フランジ部７３に向かって徐々に拡径されるテーパ面８９が形成される。コイルバネ６３のフランジ部７３側（先端側）がテーパ面８９の外側に外挿されることで、コイルバネ６３の先端側もガイド軸６１の外側に均等な間隙８３を有して同心円状に配置され、伸縮動作時に振れ難くなりガイド軸６１に接触しにくくなる。これにより、コイルバネ６３の耐久性を向上させている。
【００３１】
ラッチ本体５５は、先端面にストライク衝接傾斜面９１を有し、樹脂材料により略角柱状に形成される。樹脂材料としては、例えばジュラコン樹脂を好適に用いることができる。一方、ライニング板５７は、金属材料からなり、ラッチ本体５５の少なくともストライク衝接傾斜面９１を除く側面を覆うように折り曲げられてなる。ライニング板５７の金属材料としては、例えばステンレス鋼を好適に用いることができる。
【００３２】
ライニング板５７は、空間７１を表出させる窓部９３を有した側板９５の上下片９７，９９が折り曲げられた断面コ字状に形成されている。ライニング板５７は、上下片９７，９９に設けられた爪部１０１を折り曲げるとともに、固定穴１０３に挿通された固定ピン１０５の両端が加締められることで、ラッチ本体５５と一体固定される。なお、図４中、１０７は施解錠機構部材との連結部、図５中、１０９は他方のガラス扉１１ｂと錠箱７７の間に挟入されるライナーを示す。
【００３３】
コイルバネ６３の復元力により突出方向に押圧されるラッチ本体５５は、ストライク衝接傾斜面９１がボルト衝接片４９に衝接するので、衝撃、騒音が低減される。しかも、ラッチ本体５５の外側はライニング板５７に覆われ補強されているので、耐久性も確保される。
【００３４】
次に、上記構成を有するラッチ構造の作用を説明する。
図６はラッチ後退状態の室内側錠ユニット戸先側の平断面図である。
錠ボルト３７は、進退開口５３から突出された状態で他方のガラス扉１１ｂが閉められると、ラッチ本体５５のストライク衝接傾斜面９１が相手側扉等に設けられたストライク板４７のボルト衝接片４９に衝接し、その反力によりコイルバネ６３の付勢力に抗して錠箱７７内へ後退される。
【００３５】
支持柱６７は錠箱７７に固定されているので、ラッチ本体５５と共にガイド軸６１が支持柱６７に対して後退し、フランジ部７３が接近してくる。これにより、ガイド軸６１に外挿されたコイルバネ６３は、支持柱６７とフランジ部７３との間で圧縮される。他方のガラス扉１１ｂがさらに閉動されると、ストライク衝接傾斜面９１の先端がボルト衝接片４９を越え、コイルバネ６３の復元力により錠ボルト３７がストライク穴に進入係止される。
【００３６】
また、開扉時には、レバーハンドル３１，３３が操作され、施解錠機構を介してラッチ本体５５が後退されると、ラッチ本体５５と共にガイド軸６１が再び支持柱６７に対して後退し、コイルバネ６３は、支持柱６７とフランジ部７３との間で圧縮される。レバーハンドル３１，３３が元に位置に戻されることで、コイルバネ６３の復元力により錠ボルト３７が突出状態となる。
【００３７】
本実施の形態によるラッチ構造では、この際のコイルバネ６３の伸縮動作時に、コイルバネ６３のガイド軸６１に対し相対移動の大きい側（すなわち、支持柱６７側）が、筒部６５を介してガイド軸６１の外側に均等な間隙８３を有して同心円状に配置され、伸縮動作時に振れ難くなってガイド軸６１に接触しにくくなる。また、コイルバネ６３が均等な間隙８３を有してガイド軸６１と同心円状に配置されることで、錠ボルト３７がボルト衝接片４９からの反力を受けて仮に微少量傾斜して後退しても、コイルバネ６３とガイド軸６１との間隙８３を保とうとすることでコイルバネ６３とガイド軸６１が摺接しにくくなる。
【００３８】
したがって、上記実施の形態によるラッチ構造によれば、ラッチ内部の空間７１に設けたガイド軸６１を支持柱６７で摺動自在に支持し、このガイド軸６１にコイルバネ６３を外挿し、支持柱６７にはガイド軸６１を挿通するとともにコイルバネ６３を外挿する筒部６５を設け、またガイド軸６１には先端側にテーパ面８９を設けたので、錠箱７７の省スペース化を図りつつ、コイルバネ６３がガイド軸６１に接触しなくなり、すなわち、コイルバネ６３が伸縮動作する際に、このコイルバネ６３の軸線とガイド軸６１の軸線とが略一致した状態となり、コイルバネ６３が伸縮動作時に振れ難くなって、コイルバネ６３に摩耗を生じにくくして耐久性を向上させることができる。この結果、ラッチ内の空間７１にガイド軸６１を配置するコンパクトな構造において、長期に渡って錠動作を安定させ、信頼性を向上させることができる。
【符号の説明】
【００３９】
３７…錠ボルト（ラッチ）
５５…ラッチ本体
５７…ライニング板
６１…ガイド軸
６３…コイルバネ
６５…筒部
６７…支持柱
７１…空間
７３…フランジ部
７７…錠箱
７９…一端
８１…他端
８３…間隙
８９…テーパ面
９１…ストライク衝接傾斜面
１００…面付錠（錠）
ａ…ラッチ進退方向
【図１】
2010261216.tif 000003
【図２】
2010261216.tif 000004
【図３】
2010261216.tif 000005
【図４】
2010261216.tif 000006
【図５】
2010261216.tif 000007
【図６】
2010261216.tif 000008